(57)【要約】【課題】番組表をテレビ画面に表示した場合に、表示される文字が小さくなるなど、番組情報を把握し難いという問題があった。また映像処理に対して縮小処理等の映像変換処理が施されるため、視聴者は映像の途切れ感や、待ち時間による煩わしさを感じるという問題があった。また、テロップのみで番組情報を提供する場合は、ＥＰＧサービスの利点である番組表としての認識性が悪化してしまう。【解決手段】ＥＰＧサービスを実現可能なデジタル放送受信装置であって、ＴＶ画面に番組情報をテロップ表示し、かつ同一の画面中に番組の一覧表も表示し、番組表をハイライト表示することで現在テロップ表示中の番組名を視聴者へ伝える機能を備える。さらに、番組表中でハイライト表示されている番組を視聴者が移動操作する事が可能で、この移動操作に伴って、テロップの表示内容が移動後にハイライト表示されている番組の情報へと切り替わる機能を備える。【選択図】図１
2005117307.tif 000002
【特許請求の範囲】
【請求項１】
電子番組案内のデータを含むデジタル放送を受信して電子番組表を表示可能なデジタル放送受信装置であって、電子番組表を生成するＥＰＧ生成手段と、前記電子番組案内のデータを用いて、番組情報をテロップで表示するための文字列を生成するスクロール生成手段と、前記ＥＰＧ生成手段で生成された電子番組表と、前記スクロール生成手段で生成された文字列と、デジタル放送信号から復号した映像信号とを重ね合わせて出力する表示制御手段とを備えたデジタル放送受信装置。
【請求項２】
視聴者の操作信号を入力する操作信号入力手段を備え、前記ＥＰＧ生成手段は、ＴＶ画面上に表示した番組表中の任意の領域をハイライト表示し、かつ前記操作信号入力手段から入力された操作信号を用いて前記ハイライト表示の移動、表示／非表示等の制御を実現する第１のＥＰＧ制御手段と、前記操作信号、またはＥＰＧ制御部の出力信号を用いて前記スクロール生成部で生成する文字列を切り替える第２のＥＰＧ制御手段とを備えることを特徴とする請求項１記載のデジタル放送受信装置。
【発明の詳細な説明】
【技術分野】
【０００１】
本発明は、デジタル放送を受信可能な受信機に関するもので、特に電子番組案内（ＥＰＧ：ｅｌｅｃｔｒｉｃ  ｐｒｏｇｒａｍ  ｇｕｉｄｅ）の表示機能を備えたデジタル放送受信機に関する。
【背景技術】
【０００２】
近年、ＢＳデジタル放送の普及に伴い、ＥＰＧサービスが多く利用されるようになってきている。ＥＰＧサービスは、現在放送中の番組、またはこれから放送される番組の情報を、テレビ画面上に表示するサービスである。従来、テレビの番組情報は新聞や雑誌で供給される事が一般的であったが、デジタル放送により多チャンネル化が進んだため、ＥＰＧサービスは視聴者が番組情報を把握する手段として非常に便利なものとなっている。ＥＰＧサービスは、デジタル放送受信機によって、デジタル放送信号に多重されて送られてくるＳＩ（Ｓｅｒｖｉｃｅ  Ｉｎｆｏｒｍａｔｉｏｎ）から、電子番組表を作成しＴＶ画面上に表示することで実現される。ＥＰＧサービスとして放送局から提供される情報は、社団法人電波産業界（ＡＲＩＢ）によって標準規格化されており、番組のタイトルやタイムスケジュールに加え、番組内容を表す文字列などの様々な番組情報が含まれる。
【０００３】
従来のＥＰＧサービスの一例として、視聴者がＥＰＧサービスを用いて番組情報を抽出する際に、視聴者が希望する複数の条件を判断して、効率よく番組情報を抽出する手段が開示されている（例えば特許文献１を参照）。放送局が受信機へ送る情報は、番組のデータの集合体でしかないため、受信機側で受信したデータを用いて、様々な形態のサービスを実現することが出来る。一般的に多く用いられている電子番組表のサービスとしては、放送スケジュールを複数チャンネル分まとめて、新聞のテレビ欄のように表示するものである。これにより視聴者は、ＴＶ画面上で番組表を確認することが出来るようになるが、一方で表示スペースを必要とするため、視聴中の映像に対して縮小処理等の変換処理が施されることが多い。
【特許文献１】特開２００２−１１２１３２号公報
【発明の開示】
【発明が解決しようとする課題】
【０００４】
しかしながら、新聞や雑誌に掲載されるような番組表をテレビ画面に表示した場合には、視聴者の知りたい情報の内容や量とは関係なく、常に映像処理に対して縮小処理等の映像変換処理が施されることが多く、視聴者は映像の途切れ感や、待ち時間による煩わしさを感じるという問題があった。また、表示される文字が小さくなるなど、番組情報を把握し難いという問題があった。この解決策の一つとして、ＴＶ画面に表示する番組情報のスペースを縮小し、映像への変換処理をほとんど施さないなどの方法が考えられる。しかしながら、この場合は視聴者が入手する番組情報量が減ることや、ＥＰＧの番組表としての認識性が悪化することなどの問題が発生する。
【０００５】
また、特許文献１では、データ放送を表示する際に映像に対して縮小処理を施すことなく、データ放送信号の中の文字情報のみを表示する技術が開示されている。この発明では、データ放送の一部であるテキスト情報を抽出してテロップで表示する事で、映像への変換処理を施すことなく視聴者へデータ放送内容の概略を伝えている。ＥＰＧサービスにおいても、放送局から提供される番組情報をＴＶ画面上でテロップ表示する事により、映像への変換を少なくして、一定量の文字を画面に表示することが可能である。しかしながら番組情報をテロップのみで表示した場合、ＥＰＧサービスの利点である番組表としての認識性が悪化してしまう。
【課題を解決するための手段】
【０００６】
第１の発明は、電子番組案内のデータを含むデジタル放送を受信して電子番組表を表示可能なデジタル放送受信装置であって、電子番組表を生成するＥＰＧ生成手段と、番組情報をテロップで表示するための文字列を生成するスクロール生成手段と、ＥＰＧ生成手段で生成された電子番組表と、スクロール生成手段で生成された文字列と、デジタル放送信号から生成した映像信号とを重ね合わせて出力する表示制御手段とを備える。
【０００７】
第２の発明は、電子番組案内のデータを含むデジタル放送を受信して電子番組表を表示可能なデジタル放送受信装置であって、視聴者が入力した操作信号を入力する操作信号入力手段を備え、ＥＰＧ生成手段は、ＴＶ画面上に表示した番組表中の任意の領域をハイライト表示し、かつ操作信号入力部から入力された操作信号を用いてハイライト表示の移動、表示／非表示等の制御を実現する第１のＥＰＧ制御手段と、前記操作信号、またはＥＰＧ生成手段の出力信号を用いて、スクロール生成部で生成する文字列を切り替える第２のＥＰＧ制御手段とを備える。
【発明の効果】
【０００８】
第１の発明によれば、番組情報をスクロール表示することで、同時に表示する文字数が少なくなる。これにより映像に対して縮小処理等の変換処理を行なわずに番組情報を大きな文字で表示可能になる。また、テロップと同時に番組表が表示されるため、ＥＰＧの番組表としての認識性を失わずに番組情報の提供が可能になる。
【０００９】
第２の発明によれば、番組表中のハイライト部分の移動とテロップによる番組案内が連動して動作する。これにより視聴者は番組表を確認しながら、簡単にテロップ表示による番組情報内容を切り替える事が出来る。
【発明を実施するための最良の形態】
【００１０】
（実施の形態１）
図１は、本発明の第１の実施形態に係るデジタル放送受信装置の概略を示すブロック図である。以下の説明では、デジタル放送の一例としてＢＳデジタル放送を用いるが、本発明は放送形態にとらわれるものではなく、ＣＳデジタル放送や地上波デジタル放送などデジタル放送全般で実施可能である。また本実施の形態は、デジタル放送受信機がディスプレイとは別に構成されるＳＴＢの例を示すが、デジタル放送受信機と表示装置が一体型の構成であっても構わない。
【００１１】
本実施の形態で用いるテロップは、文字列を画面の左から右、あるいは右から左へ移動させる。画面端まで移動した文字列は、画面から消え、反対側の画面端からは新しい文字列を表示するものである。文字列の動きは上下や斜め方向であっても構わない。また、文字列は移動せず、視聴者がリモコン等で表示された文字列を更新させるものでも良い。
【００１２】
図１に示すデジタル放送受信装置は、チューナー１３０、トランスポートデコーダ１３２、ＡＶデコーダ１３４、ＥＰＧメモリ１１６、ＥＰＧ生成部１１０、スクロール生成部１１２、映像合成部１１４を備える。
【００１３】
チューナー１３０は、アンテナ１４０で受信したＢＳデジタル放送信号を入力し、復調処理、スクランブル解除等を行い、多重化された放送信号データＴＳ１を出力する。
【００１４】
トランスポートデコータ１３２は、多重データＴＳ１から、圧縮符号化された映像音声信号ＴＳ２、番組配列情報ＳＩ等を分離、抽出処理し、映像音声信号ＴＳ２をＡＶデコーダへ、番組配列情報ＳＩ１をＥＰＧメモリ１１６へ出力する。
【００１５】
ＡＶデコーダ１３４は、圧縮符号化された映像信号ＴＳ２を入力し、この映像信号に対してデコード処理を施し、映像信号ＶＩＤＥＯを出力する。
【００１６】
ＥＰＧメモリ１１６は、トランスポートデコータ１３２が出力する番組配列情報ＳＩ１を一時的に蓄積し、番組配列情報ＳＩ２を出力する。
【００１７】
ＥＰＧ生成部１１０は、ＥＰＧメモリの出力する番組配列情報ＳＩ２を入力し、ＳＩ２に含まれるＥＩＴ（ｅｖｅｎｔ  ｉｎｆｏｒｍａｔｉｏｎ  ｔａｂｌｅ）、ＳＤＴ（ｓｅｒｖｉｃｅ  ｄｅｓｃｒｉｐｔｉｏｎ  ｔａｂｌｅ）、ＢＡＴ（ｂｏｕｑｕｅｔ  ａｓｓｏｃｉａｔｉｏｎ  ｔａｂｌｅ）、ＮＩＴ（Ｎｅｔｗｏｒｋ  ｉｎｆｏｒｍａｔｉｏｎ  ｔａｂｌｅ）の各テーブルを参照し、ＴＶ画面上に番組表を生成するために必要なＯＳＤ番組表データＴＡＢＬＥを生成し出力する。
【００１８】
ＥＰＧ生成部１１０は、番組配列情報ＳＩ２から、テロップ表示用の番組情報を抽出し、文字データＴＥＲＯＰ＿ＤＡＴＡを出力する。
【００１９】
スクロール生成部１１２は、テロップ表示用の文字データＴＥＲＯＰ＿ＤＡＴＡを入力し、ＯＳＤテロップデータ信号ＴＥＲＯＰを生成し出力する。
【００２０】
映像合成部１１４は、ＡＶデコーダ１３４の出力する映像信号ＶＩＤＥＯと、スクロール生成部１１２の出力するＯＳＤテロップデータ信号ＴＥＲＯＰと、ＥＰＧ生成部１１０の出力信号ＴＡＢＬＥとを合成処理して映像信号ＢＬＥＮＤを出力する。
【００２１】
表示装置１５０は、映像合成部の出力する映像信号ＢＬＥＮＤを入力し、映像を表示する。
【００２２】
以上のように構成されたデジタル放送受信装置について、図２を用いて動作の一例を説明する。図２は、テレビ画面上に視聴中の時間帯の番組表を表示し、同時にテロップで任意の番組内容を表示する場合のフローチャートである。
【００２３】
アンテナ１４０で受信されたＢＳデジタル信号は、チューナー１３０で復調等の処理が行なわれた後、トランスポートデコーダ１３２によって番組配情報ＳＩ１が抽出される（Ｓ２０２）。
【００２４】
番組情報ＳＩ１はＥＰＧメモリ１１６に蓄積され、ＥＰＧ生成部１１０によって、番組情報ＳＩ１から現時刻の番組情報が抽出される（Ｓ２０４）。
【００２５】
抽出される番組情報には、番組のタイトルやタイムスケジュールと共に、番組内容を示す文字列なども含まれる。まずＥＰＧ生成部１１０は、放送局名と番組のタイトル情報を用いてＯＳＤの番組表を作成し、作成したＯＳＤ番組表データ信号ＴＡＢＬＥを映像合成部へ送信する（Ｓ２０６）。
【００２６】
続いて、ＥＰＧ生成部１１０は、番組内容を示す文字列を、スクロール生成部１１２へ送信する（Ｓ２０８）。
【００２７】
スクロール生成部１１２は、番組内容を示す文字列に対して任意の表示サイズ、表示フォント、および表示位置を決定して、ＯＳＤのテロップデータ信号ＴＥＲＯＰへと変換して映像合成部へ送信する（Ｓ２１０）。
【００２８】
映像合成部１１４は、ＯＳＤ番組表データ信号ＴＡＢＬＥと、ＯＳＤテロップデータ信号ＴＥＲＯＰと、ＡＶデコーダでデコードされた映像信号ＶＩＤＥＯを入力し、合成して映像信号ＢＬＥＮＤを出力する。
【００２９】
最後に、表示装置１５０は、映像信号ＢＬＥＮＤを入力して、映像と番組表とテロップを同時に表示する（Ｓ２１２）。
【００３０】
図３は、スクロール生成部１１２の動作を示すフローチャートである。
【００３１】
スクロール生成部１１２は、ＥＰＧ生成部１１０から入力した文字列をテロップ表示する際の任意のフォント、表示サイズを決定する（Ｓ３０２）。
【００３２】
次に、スクロール生成部１１２は、文字列をテロップ表示するために、各文字の表示位置を計算する（Ｓ３０４）。
【００３３】
次に、決定した表示位置、表示サイズ、フォントの情報を用いてＯＳＤテロップを作成する（Ｓ３０６）。
【００３４】
次に、スクロール生成部１１２は、作成したテロップデータを映像合成部へ送信する（Ｓ３０８）。
【００３５】
図６は、本実施の形態におけるＴＶ画面の表示例である。
【００３６】
本表示例では、画面の下端の領域に現在の番組表を表示し、画面の上端に番組の簡単な内容をテロップで表示している。視聴者が、番組を視聴中に番組表とテロップを表示した際には、視聴中の映像に対して縮小等の変換が行なわれず、番組表とテロップは映像の上に重ね合わせて表示される。
【００３７】
本実施の形態では、現在の時間帯のみの番組表を表示する例を示したが、新聞、雑誌等にあるような番組表全体を表示しても構わない。この場合は、番組表を番組タイトルのみで小さく表示し、テロップで出演者等を流すなどの方法が考えられる。
【００３８】
また、映像に対して何らかの変換処理を施しても構わない。しかし本発明は、映像に対して変換処理をほとんど施すことなく、番組表と番組情報を視聴者へ提供することが目的であるため、映像へは縮小等の変換処理が行なわれない事が望ましい。
【００３９】
（実施の形態２）
図４は、本発明の第２の実施形態に係るデジタル放送受信装置の概略を示すブロック図である。
【００４０】
図４に示すデジタル放送受信装置は、チューナー４３０、トランスポートデコーダ４３２、ＡＶデコーダ４３４、ＥＰＧメモリ４１６、ＥＰＧ生成部４１０、スクロール生成部４１２、映像合成部４１４、ＥＰＧ生成部４１０、ＩＲ発行部４６０、ＩＲ受光部４１８を備える。第２の実施の形態におけるチューナー４３０、トランスポートデコーダ４３２、ＡＶデコーダ４３４，ＥＰＧメモリ４１６は、第１の実施の形態と同様であるため説明を省略する。
【００４１】
実施の形態２が実施の形態１と異なる点は、番組表中の特定の番組がハイライト表示され、視聴者がリモコン等でこのハイライト表示を移動させると、これに連動してテロップの番組案内が切り替わる点である。
【００４２】
ＩＲ発行部４６０は、視聴者がリモコン等でデジタル放送受信機の選局等を遠隔操作する際に、この遠隔操作信号をデジタル放送受信機へ発信するものである。本実施の形態では、一例としてリモコンを用いたデジタル放送受信機を示すが、この操作信号は、デジタル放送受信機本体のボタン操作など、デジタル放送受信機へ視聴者の操作信号を入力できれば何でもよい。
【００４３】
ＩＲ受光部４１８は、ＩＲ発信部が発信した操作信号を受光して、操作信号ＣＲを出力する。
【００４４】
ＥＰＧ生成部４１０は、ＥＰＧメモリの出力する番組配列情報ＳＩ２を入力し、ＳＩ２に含まれるＥＩＴ（ｅｖｅｎｔ  ｉｎｆｏｒｍａｔｉｏｎ  ｔａｂｌｅ）、ＳＤＴ（ｓｅｒｖｉｃｅ  ｄｅｓｃｒｉｐｔｉｏｎ  ｔａｂｌｅ）、ＢＡＴ（ｂｏｕｑｕｅｔ  ａｓｓｏｃｉａｔｉｏｎ  ｔａｂｌｅ）、ＮＩＴ（Ｎｅｔｗｏｒｋ  ｉｎｆｏｒｍａｔｉｏｎ  ｔａｂｌｅ）の各テーブルを参照し、ＴＶ画面上に番組表を生成するために必要なＯＳＤ番組表データ信号ＴＡＢＬＥを生成し出力する。
【００４５】
この際に、ＥＰＧ生成部４１０は、番組表の中の任意の番組をハイライト表示し、このハイライト表示を行なった番組の番組情報を、番組配列情報ＳＩ２から抽出し、ＴＥＲＯＰ＿ＤＡＴＡを出力する。
【００４６】
また、ＥＰＧ生成部４１０は、ＩＲ受光部の出力ＣＲを入力し、視聴者のリモコン操作による上下左右等の信号に応じて、番組表の中の任意の番組枠をハイライト部分を上下左右に移動させる。リモコン操作で、番組表のハイライト部分が移動した際には、ハイライト部分が指し示す番組名に応じて、番組配列情報ＳＩ２の中から、テロップ表示用の番組情報を再抽出し、ＴＥＲＯＰ＿ＤＡＴＡを出力する。
【００４７】
映像合成部４１４は、ＡＶデコーダ４３４の出力する映像信号ＶＩＤＥＯと、スクロール生成部４１２の出力するＯＳＤテロップデータ信号ＴＥＲＯＰと、ＥＰＧ生成部４１０の出力信号ＴＡＢＬＥとを合成処理して映像信号ＢＬＥＮＤを出力する。
【００４８】
表示装置４５０は、映像合成部の出力する映像信号ＢＬＥＮＤを入力し、映像を表示する。
【００４９】
スクロール生成部４１２は、テロップ表示用の文字データＴＥＲＯＰ＿ＤＡＴＡを入力し、テロップ表示用の文字列ＴＥＲＯＰを生成し出力する。
【００５０】
以上のように構成されたデジタル放送受信装置について、図５を用いて動作例を説明する。図５は、現在の時間帯のみの番組表と、番組情報のテロップをテレビ画面に表示し、視聴者がリモコン操作等で番組表の中のハイライト部分を移動させた場合に、テロップによる番組情報も移動後のハイライト部分へと切り替わる場合のフローチャートである。
【００５１】
アンテナ４４０で受信されたＢＳデジタル信号は、チューナー４３０で復調等の処理が行なわれた後、トランスポートデコーダ４３２によって番組配情報ＳＩ１が抽出される（Ｓ５０２）。
【００５２】
番組情報ＳＩ１はＥＰＧメモリ４１６に蓄積され、ＥＰＧ生成部４１０によって、番組情報ＳＩ１から現時刻の番組情報が抽出される（Ｓ５０４）。
【００５３】
ＥＰＧ生成部４１０は、放送局名と番組のタイトル情報を用いて、ＯＳＤ番組表データ信号ＴＡＢＬＥへと変換して、映像合成部へ送信する。この際、送信される番組表は、視聴者が現在視聴中の番組枠をハイライト表示する（Ｓ５０６）。
【００５４】
続いて、ＥＰＧ生成部４１０は、番組内容を示す文字列を、スクロール生成部４１２へ送信する（Ｓ５０８）。
【００５５】
スクロール生成部４１２は、番組内容を示す文字列を、ＯＳＤテロップデータ信号ＴＥＲＯＰへと変換して映像合成部へ送信する（Ｓ５１０）。スクロール生成部４１２の動作は、実施の形態１と同じであるため詳細な動作の説明は省略する。
【００５６】
映像合成部は、ＯＳＤ番組表データ信号ＴＡＢＬＥと、ＯＳＤテロップデータ信号ＴＥＲＯＰと、ＡＶデコーダでデコードされた映像信号ＶＩＤＥＯを入力し、合成して映像信号ＢＬＥＮＤを出力する。（Ｓ５１２）
視聴者によって、リモコン等による操作信号が送信された場合には、操作信号ＣＲはＥＰＧ生成部４１０へ入力され、番組表、およびテロップの切り換え処理を開始する（Ｓ５１４）。
【００５７】
ＥＰＧ生成部４１０は、番組表中のハイライト部分を左右へと移動させ、ＯＳＤ番組表データ信号ＴＡＢＬＥへ変換して、映像合成部へ送信する（Ｓ５１６）。
【００５８】
続いて、ＥＰＧ生成部４１０は、移動後のハイライト表示した番組情報を、番組配列情報ＳＩ２の中から抽出する（Ｓ５１８）。
【００５９】
ＥＰＧ表示部４１０は、抽出した番組内容を示す文字列をスクロール生成部４１２へ送信する（Ｓ５２０）。
【００６０】
スクロール生成部４１２は、番組内容を示す文字列に対して任意の表示サイズ、表示フォント、および表示位置を付与したＯＳＤテロップデータ信号ＴＥＲＯＰへと変換して映像合成部へ送信する（Ｓ５２２）。
【００６１】
映像合成部は、ＯＳＤ番組表データ信号ＴＡＢＬＥと、ＯＳＤテロップデータ信号ＴＥＲＯＰと、ＡＶデコーダでデコードされた映像信号ＶＩＤＥＯを入力し、合成して映像信号ＢＬＥＮＤを出力する。
【００６２】
表示装置４５０は、映像信号ＢＬＥＮＤを入力して、映像と番組表とテロップを同時に表示する（Ｓ５２４）。
【産業上の利用可能性】
【００６３】
本発明に係るデジタル放送受信装置は、番組情報をスクロール表示することで、同時に表示する文字数が少なくなる。これにより、映像に対して縮小処理等の変換処理を行なわずに番組情報を大きな字で表示可能になる。また、テロップと同時に番組表が表示されるため、ＥＰＧの番組表としての認識性を失わずに番組情報の提供が可能になる。よって、本発明は、電子番組案内の表示機能を備えたデジタル放送受信機等に有用である。
【００６４】
また、本発明に係るデジタル放送受信装置は、番組表中のハイライト部分の移動とテロップによる番組案内が連動して動作する。これにより視聴者は番組表を確認しながら、簡単にテロップ表示による番組情報内容を切り替える事が出来る。よって、本発明は、電子番組案内の表示機能を備えたデジタル放送受信機に有用である。
【図面の簡単な説明】
【００６５】
【図１】本発明の第１の実施形態に係るデジタル放送受信装置の構成を示すブロック図
【図２】本発明の第１の実施形態に係る全体動作を示すフローチャート
【図３】本発明の第１の実施形態に係るスクロール生成部の動作を示すフローチャート
【図４】本発明の第１の実施形態に係るデジタル放送受信装置の構成を示すブロック図
【図５】本発明の第２の実施形態に係る全体動作を示すフローチャート
【図６】本発明の第１の実施形態に係るＴＶ画面表示の一例を示す図
【符号の説明】
【００６６】
１０    ＥＰＧ生成部
１２    スクロール生成部
１４    映像合成部
３０    チューナー
３２    トランスポートデコーダ
３４    ＡＶデコーダ
４０    アンテナ
５０    表示装置
【図１】
2005117307.tif 000003
【図２】
2005117307.tif 000004
【図３】
2005117307.tif 000005
【図４】
2005117307.tif 000006
【図５】
2005117307.tif 000007
【図６】
2005117307.tif 000008